(57)【要約】【課題】スライド操作に伴う信号線の動きを規制して信号線の損傷を防ぎながら部品配置を容易にする。【解決手段】第１の筐体３の背面とスライダ１１表面との間に信号線３０が移動可能な隙間２２を形成し、この隙間２２に第１の筐体３のスライド方向に沿って信号線３０における第１基板６との接続側を包む溝部２４を形成する膨出部２３を膨出させる。溝部２４の端部から延びる信号線３０における膨出部２３で囲まれていない部分をスライダ１１の移動に合わせて隙間２２内で正面視略Ｕ字状を保ちながら移動させる。信号線３０をスライダ１１に形成した信号線用貫通孔１４を通って第２の筐体側へ延ばし信号線用貫通孔１４と膨出部２３とを第１の筐体３と第２の筐体とが重なる閉じ状態で最も離れるように配置する。信号線用貫通孔１４に軌跡調整部材３５を設けて隙間２２内へ延びる信号線３０をスライド方向に対して傾斜させて信号線３０の軌跡を調整する。【選択図】図１
2012235274.tif 000002
【特許請求の範囲】
【請求項１】
第１の筐体が第２の筐体に対してスライド機構を介してスライド自在に連結され、該第１の筐体内の第１基板と該第２の筐体内の第２基板とが信号線で電気的に接続されたスライド式携帯端末において、
上記スライド機構は、
上記第２の筐体の正面側に取り付けられた薄板状のスライダと、
上記第１の筐体の背面側に設けられ、上記スライダが係合するレール部とを備え、
上記第１の筐体の背面と上記スライダ表面との間には、信号線が移動可能な隙間が形成され、該隙間には、上記第１の筐体のスライド方向に沿って上記信号線における該第１基板との接続側を包む溝部を形成する膨出部が形成され、該溝部の端部から延びる上記信号線における膨出部で囲まれていない部分が上記スライダの移動に合わせて該隙間内を正面視略Ｕ字状を保ちながら移動するように配置され、さらに上記スライダに形成した信号線用貫通孔を通って上記第２基板側へ延び、
上記信号線は、上記スライダに形成した信号線用貫通孔を通って上記第２基板側へ延び、
上記信号線用貫通孔と上記膨出部とは、上記第１の筐体と上記第２の筐体とが重なる閉じ状態で最も離れるように配置され、
上記信号線用貫通孔には、上記隙間内へ延びる上記信号線を上記スライド方向に対して傾斜させて信号線の軌跡を調整する軌跡調整部材が設けられている
ことを特徴とするスライド式携帯端末。
【請求項２】
請求項１に記載のスライド式携帯端末において、
上記スライダは、板金よりなり、
上記軌跡調整部材は、上記信号線用貫通孔に脱着可能な樹脂成型品よりなる
ことを特徴とするスライド式携帯端末。
【請求項３】
請求項１又は２に記載のスライド式携帯端末において、
上記溝部は、上記第１の筐体を開く方向の終端の手前で上記スライド方向に対して上記軌跡調整部材へ近付く方向へ傾斜している
ことを特徴とするスライド式携帯端末。
【請求項４】
請求項１乃至３のいずれか１つに記載のスライド式携帯端末において、
上記溝部の上記スライド方向終端側は、徐々に広がっている
ことを特徴とするスライド式携帯端末。
【請求項５】
請求項１乃至４のいずれか１つに記載のスライド式携帯端末において、
上記信号線は、複数の細線を束ねて構成され、
上記隙間内を移動する信号線の内側最小曲げ半径は、５ｍｍ以上である
ことを特徴とするスライド式携帯端末。
【請求項６】
請求項５に記載のスライド式携帯端末において、
上記信号線が移動可能な隙間の厚さは１．４ｍｍ以上であり、かつ上記内側最小曲げ半径は、４ｍｍ以上である
ことを特徴とするスライド式携帯端末。
【請求項７】
請求項１乃至６のいずれか１つに記載のスライド式携帯端末において、
一端が上記第１の筐体に回転可能に連結され、他端が上記スライダに回転可能に連結された正面視Ｌ字状の板バネを備え、
上記信号線は、上記板バネと上記膨出部とで囲まれる上記隙間内を移動するように構成されている
ことを特徴とするスライド式携帯端末。
【請求項８】
請求項７に記載のスライド式携帯端末において、
上記膨出部は、上記板バネの一端側近傍まで延び、
上記膨出部における上記溝部の上記スライド方向終端近傍には、上記第１の筐体の閉じ位置において上記信号線が上記スライド方向に対して平行となるように規制する方向規制部が延長して形成されている
ことを特徴とするスライド式携帯端末。
【請求項９】
請求項７又は８に記載のスライド式携帯端末において、
上記板バネの端部は、それぞれ環状部を備え、各環状部は、該板バネの端部の互いに近付く面側に固定されている
ことを特徴とするスライド式携帯端末。
【請求項１０】
請求項７乃至９のいずれか１つに記載のスライド式携帯端末において、
上記スライダには、上記第２の筐体に締結するための複数の締結孔が形成され、
上記信号線及び上記板バネは、上記複数の締結孔で囲まれた領域を移動するように構成され、
上記軌跡調整部材は、上記第２の筐体から延びる信号線を上記複数の締結孔で囲まれた領域に対応する上記隙間内へ通すように構成されている
ことを特徴とするスライド式携帯端末。
【請求項１１】
請求項１乃至１０のいずれか１つに記載のスライド式携帯端末において、
上記第１の筐体がスライド方向終端の全開位置にあるときに、上記溝部の全領域は、上記スライダによって覆われるように構成されている
ことを特徴とするスライド式携帯端末。
【請求項１２】
請求項１１に記載のスライド式携帯端末において、
上記膨出部の上記スライド方向閉じ側には、上記スライダの端部に沿ってスライド方向と垂直に延び、上記信号線側へ異物が侵入するのを防ぐ侵入防止部が形成されている
ことを特徴とするスライド式携帯端末。
【請求項１３】
請求項１乃至１２のいずれか１つに記載のスライド式携帯端末において、
上記膨出部における少なくとも溝部が形成されている部分は、樹脂シートで覆われている
ことを特徴とするスライド式携帯端末。
【請求項１４】
請求項１３に記載のスライド式携帯端末において、
上記両面テープは、少なくとも上記溝部に対向する部分が切り欠かれており、
上記樹脂シートは、上記溝部に対向する部分以外に両面テープの片面が貼り付けられ、該両面テープの他方の面が上記膨出部に貼り付けられている
ことを特徴とするスライド式携帯端末。
【請求項１５】
請求項１４に記載のスライド式携帯端末において、
上記樹脂シートは、無色透明であり、
上記両面テープは、有色であり、
上記溝部の周縁には、該溝部を挟むように一対の位置決め用凹部が形成され、
上記両面テープは、上記位置決め用凹部の位置がさらに切り欠かれている
ことを特徴とするスライド式携帯端末。
【請求項１６】
請求項１５に記載のスライド式携帯端末において、
上記信号線は、上記位置決め用凹部に対応する位置が目印用テープで覆われている
ことを特徴とするスライド式携帯端末。
【請求項１７】
請求項１４乃至１６のいずれか１つに記載のスライド式携帯端末において、
上記樹脂シート及び上記両面テープは、上記膨出部よりもさらに上記スライド方向の閉じ側へ延び、上記信号線の上記第１基板へ接続するための接続端子を覆うカバーも同時に貼り付けている
ことを特徴とするスライド式携帯端末。
【請求項１８】
請求項１４乃至１７のいずれか１つに記載のスライド式携帯端末において、
上記膨出部には、上記樹脂シート及び上記両面テープの角部に合わせて突条が形成されている
ことを特徴とするスライド式携帯端末。
【発明の詳細な説明】
【技術分野】
【０００１】
本発明は、第１の筐体が第２の筐体に対してスライド機構を介してスライド自在に連結され、この第１の筐体内の第１基板と該第２の筐体内の第２基板とが信号線で電気的に接続されたスライド式携帯端末に関するものである。
【背景技術】
【０００２】
上下に重ねて配置されスライドする二つの基板を少なくとも１箇所で束ねられた複数の同軸ケーブルを含んでなる同軸ケーブルハーネスで接続する同軸ケーブル接続構造を有する携帯端末が知られている（例えば、特許文献１参照）。この携帯端末では、同軸ケーブルハーネスが全体としてＵ字状になるように接続されている。
【０００３】
一方、このような携帯端末では、通常、スライド操作を補助するバネが設けられている。例えば、特許文献２のように、端末本体にスライド自在に可動部が連結され、端末本体と可動部との間に付勢力を作用させるトーションバネを備える携帯端末が知られている、
【先行技術文献】
【特許文献】
【０００４】
【特許文献１】ＷＯ２００７／１３６０４０号パンフレット
【特許文献２】特開２００９−１５７７２３号公報
【発明の概要】
【発明が解決しようとする課題】
【０００５】
しかしながら、特許文献１のようにハーネスを配置すると、スライド操作に伴ってハーネスが広い範囲で動くので、ハーネスとの接触を避けるため、ハーネスが動く広い範囲に部品を設けることができない。
【０００６】
しかも特許文献２のようなスライド操作を補助するバネは、スライド操作に伴って移動しながら付勢力を発揮するので、ハーネスとバネとが接触しやすくなり、バネの配置が困難になるという問題があった。
【０００７】
本発明は、かかる点に鑑みてなされたものであり、その目的とするところは、スライド操作に伴う信号線の動きを規制して信号線の損傷を防ぎながら部品配置を容易にすることにある。
【課題を解決するための手段】
【０００８】
上記の目的を達成するために、この発明では、信号線をスライド方向に対して傾斜する方向へ傾けて信号線の軌跡を調整するようにした。
【０００９】
具体的には、第１の発明では、
第１の筐体が第２の筐体に対してスライド機構を介してスライド自在に連結され、該第１の筐体内の第１基板と該第２の筐体内の第２基板とが信号線で電気的に接続されたスライド式携帯端末において、
上記スライド機構は、
上記第２の筐体の正面側に取り付けられた薄板状のスライダと、
上記第１の筐体の背面側に設けられ、上記スライダが係合するレール部とを備え、
上記第１の筐体の背面と上記スライダ表面との間には、信号線が移動可能な隙間が形成され、該隙間には、上記第１の筐体のスライド方向に沿って上記信号線における該第１基板との接続側を包む溝部を形成する膨出部が形成され、該溝部の端部から延びる上記信号線における膨出部で囲まれていない部分が上記スライダの移動に合わせて該隙間内を正面視略Ｕ字状を保ちながら移動するように配置され、さらに上記スライダに形成した信号線用貫通孔を通って上記第２基板側へ延び、
上記信号線用貫通孔と上記膨出部とは、上記第１の筐体と上記第２の筐体とが重なる閉じ状態で最も離れるように配置され、
上記信号線用貫通孔には、上記隙間内へ延びる上記信号線を上記スライド方向に対して傾斜させて信号線の軌跡を調整する軌跡調整部材が設けられている。
【００１０】
上記の構成によると、信号線の第１基板側を膨出部の溝部でスライド方向に沿って延びるように規制すると共に、第２基板側をスライダの信号線用貫通孔に設けた軌跡調整部材によってスライド方向に対して傾け、Ｕ字状に折れ曲がる信号線の開放側が広がりすぎないように信号線の軌跡を調整するようにしたので、スライド操作に伴う信号線の軌跡が狭い範囲に規制される。このため、信号線が他の部品に接触して損傷することはない。
【００１１】
第２の発明では、第１の発明において、
上記スライダは、板金よりなり、
上記軌跡調整部材は、上記信号線用貫通孔に脱着可能な樹脂成型品よりなる。
【００１２】
上記の構成によると、軌跡調整部材以外のスライダ部分を薄板にする加工が容易な板金で構成し、軌跡調整部材を複雑な形状でも形成しやすい樹脂成型品で構成することで、軽量かつ剛性の高いスライダが得られると共に、信号線の傾斜方向を規制できる形状を容易に形成できる。また、樹脂製なので信号線が傷付きにくい。
【００１３】
第３の発明では、第１又は第２の発明において、
上記溝部は、上記第１の筐体を開く方向の終端の手前で上記スライド方向に対して上記軌跡調整部材へ近付く方向へ傾斜している。
【００１４】
上記の構成によると、信号線は、溝部に収容されているので、溝部内で容易に軌跡調整部材へ近付く方向へ保持でき、この方向へ傾斜させることで、Ｕ字状に折れ曲がる信号線の開放側が広がりすぎないように規制される。
【００１５】
第４の発明では、第１乃至第３のいずれか１つの発明において、
上記溝部の上記スライド方向全開側は、徐々に広がっている。
【００１６】
上記の構成によると、溝部のスライド方向終端（第１の筐体の全開位置に対応）の信号線が溝部内でスライド操作に合わせて動くのを許可することにより、この溝部から出た信号線が溝部終端付近で急激に折れ曲がることはないので、信号線の耐久性が向上する。
【００１７】
第５の発明では、第１乃至第４のいずれか１つの発明において、
上記信号線は、複数の細線を束ねて構成され、
上記隙間内を移動する信号線の内側最小曲げ半径は、５ｍｍ以上である。
【００１８】
上記の構成によると、軌跡調整部材により信号線の内側最小曲げ半径を容易に５ｍｍ以上に保つことができ、このことで、信号線の断線が防止される。
【００１９】
第６の発明では、第５の発明において、
上記信号線が移動可能な隙間の厚さは１．４ｍｍ以上であり、かつ上記内側最小曲げ半径は、４ｍｍ以上である。
【００２０】
上記の構成によると、信号線が移動可能な隙間の厚さ（第１の筐体の厚み方向の厚さ）を１．４ｍｍ以上に保つことで、厚さを薄くするために信号線を過度にばらす必要がなく、また、内側最小曲げ半径が４ｍｍ以上に緩和可能となり、信号線の配置がより容易となる。
【００２１】
第７の発明では、第１乃至第６のいずれか１つの発明において、
一端が上記第１の筐体に回転可能に連結され、他端が上記スライダに回転可能に連結された正面視Ｌ字状の板バネを備え、
上記信号線は、上記板バネと上記膨出部とで囲まれる上記隙間内を移動するように構成されている。
【００２２】
上記の構成によると、正面視Ｌ字状の板バネなので、コイル部を有さず、信号線との接触を回避しやすく、信号線の移動可能領域が広くなる。
【００２３】
第８の発明では、第７の発明において、
上記膨出部は、上記板バネの一端側近傍まで延び、
上記膨出部における上記溝部の上記スライド方向全開側終端近傍には、上記第１の筐体の閉じ位置において上記信号線が上記スライド方向に対して平行となるように規制する方向規制部が延長して形成されている。
【００２４】
上記の構成によると、閉じ位置において信号線用貫通孔が膨出部と最も離れたときに信号線のＵ字状の部分が開きすぎて板バネに接触するのが効果的に防止される。
【００２５】
第９の発明では、第７又は第８の発明において、
上記板バネの端部は、それぞれ環状部を備え、各環状部は、該板バネの端部の互いに近付く面側に固定されている。
【００２６】
上記の構成によると、板バネが信号線に対して環状部の外側に配置されるので、その分だけ信号線から遠くに離れるため、さらに信号線との接触の回避が容易となる。
【００２７】
第１０の発明では、第７乃至第９のいずれか１つの発明において、
上記スライダには、上記第２の筐体に締結するための複数の締結孔が形成され、
上記信号線及び上記板バネは、上記複数の締結孔で囲まれた領域を移動するように構成され、
上記軌跡調整部材は、上記第２の筐体から延びる信号線を上記複数の締結孔で囲まれた領域に対応する上記隙間内へ通すように構成されている。
【００２８】
すなわち、スライダの締結孔の範囲を広くとることで、第１の筐体と第２の筐体との結合領域が増えるので、第１の筐体を最も開いたときの剛性が高くなるが、本発明の構成によると、軌跡調整部材により、結合領域に対応する隙間内に挿入される信号線の方向を規制することで、信号線の軌跡を適切に規制できるので、締結孔の配置が容易となり、結合領域をできるだけ広くとることができる。
【００２９】
第１１の発明では、第１乃至第１０のいずれか１つの発明において、
上記第１の筐体が全開位置にあるときに、上記溝部の全領域は、上記スライダによって覆われるように構成されている。
【００３０】
上記の構成によると、第１の筐体を第２の筐体に対して開こうとする力がかかって隙間が広くなったとしても、信号線がスライダと溝部との間に挟まれているので安定し、信号線が噛み込むのが防止される。
【００３１】
第１２の発明では、第１１の発明において、
上記膨出部の上記スライド方向閉じ側には、上記スライダの端部に沿ってスライド方向と垂直に延び、上記信号線側へ異物が侵入するのを防ぐ侵入防止部が形成されている。
【００３２】
上記の構成によると、閉じ状態で信号線用貫通孔と膨出部とが最も離れるときに、信号線が移動する隙間に切符等の薄い異物が侵入したとしても、膨出部を延長して形成した侵入防止部によって薄い異物がさらに深く侵入することが防止される。
【００３３】
第１３の発明では、第１乃至第１２のいずれか１つの発明において、
上記膨出部における少なくとも溝部が形成されている部分は、樹脂シートで覆われている。
【００３４】
上記の構成によると、溝部に収容された信号線を樹脂シートで覆うことで、信号線が溝部からはみ出て溝部周縁とスライダとの間に挟み込まれて損傷することはない。
【００３５】
第１４の発明では、第１３の発明において、
上記両面テープは、少なくとも上記溝部に対向する部分が切り欠かれており、
上記樹脂シートは、上記溝部に対向する部分以外に両面テープの片面が貼り付けられ、該両面テープの他方の面が上記膨出部に貼り付けられている。
【００３６】
上記の構成によると、溝部に収容された信号線が両面テープに接着しないので、溝部内で固定されず、スライド操作に伴って溝部内で信号線が動くことができる。
【００３７】
第１５の発明では、第１４の発明において、
上記樹脂シートは、無色透明であり、
上記両面テープは、有色であり、
上記溝部の周縁には、該溝部を挟むように一対の位置決め用凹部が形成され、
上記両面テープは、上記位置決め用凹部の位置がさらに切り欠かれている。
【００３８】
上記の構成によると、樹脂シートは無色透明である一方、両面テープが有色であるため、両面テープのない部分から信号線が溝部に収容されているのを確認でき、また、両面テープごと膨出部に貼り付ける際に位置決めが容易である。
【００３９】
第１６の発明では、第１５の発明において、
上記信号線は、上記位置決め用凹部に対応する位置が目印用テープで覆われている。
【００４０】
上記の構成によると、位置決め用凹部に信号線の目印用テープが来るように信号線を溝部に収容させることで、隙間内の信号線の長さを所定長さに保つことができるため、信号線が長すぎて他の部品に接触して損傷したり、短すぎて切断したりするのが容易に防止される。
【００４１】
第１７の発明では、第１４乃至第１６のいずれか１つの発明において、
上記樹脂シート及び上記両面テープは、上記膨出部よりもさらに上記スライド方向の閉じ側へ延び、上記信号線の上記第１基板へ接続するための接続端子を覆うカバーも同時に貼り付けている。
【００４２】
上記の構成によると、組付時に両面テープで接続端子を覆うカバーも同時に貼り付けることにより、このカバーが膨出部に仮止めされ、その後のハンドリングが容易となる。
【００４３】
第１８の発明では、第１４乃至第１７のいずれか１つの発明において、
上記膨出部には、上記樹脂シート及び上記両面テープの角部に合わせて突条が形成されている。
【００４４】
上記の構成によると、組付時に樹脂シート及び両面テープの角部を膨出部の突条に当接させながら樹脂シートを貼り付ければよいので、樹脂シートがずれず、貼り直しなどをする必要がない。
【発明の効果】
【００４５】
以上説明したように、本発明によれば、信号線の一端側を膨出部の溝部でスライド方向に沿って配置すると共に、他端側を軌跡調整部材によってスライド方向に対して傾斜する方向へ傾けることで、スライド操作に伴う信号線の動きを規制して信号線の損傷を防ぎながら部品配置を容易にすることができる。
【図面の簡単な説明】
【００４６】
【図１】実施形態に係るスライド式携帯電話機を閉じたときの第１の筐体の背面を示す斜視図である。
【図２】スライド式携帯電話機の閉じ状態における正面側を示す斜視図である。
【図３】全開状態の図２相当図である。
【図４】スライド式携帯電話機の閉じ状態における背面側を示す斜視図である。
【図５】全開状態の図４相当図である。
【図６】図２のVI−VI線断面図である。
【図７】スライド式携帯電話機を閉じたときの第１の筐体の背面を示す正面図である。
【図８】スライド式携帯電話機の全開状態を示す図７相当図である。
【図９】第１の筐体の分解斜視図である。
【図１０】軌跡調整部材を示す拡大斜視図である。
【図１１】軌跡調整部材の分解斜視図である。
【図１２】樹脂シート、両面テープ及び膨出部の分解斜視図である。
【図１３】スライド耐久試験の方法を示し、（ａ）が平面図で、（ｂ）が正面図である。
【図１４】スライド耐久試験の結果を示す表である。
【発明を実施するための形態】
【００４７】
以下、本発明の実施形態を図面に基づいて説明する。
【００４８】
図２〜図５は本発明の実施形態のスライド式携帯電話機１を示し、このスライド式携帯電話機１は、表面側に表示部２を有する第１の筐体３が、表面下側に操作部４を有する第２の筐体５に重なる閉じ状態（図１、図２、図４及び図７に示す）と、第１の筐体３が第２の筐体５上をスライドして第２の筐体５の操作部４が露出する開き状態（図３、図５及び図８に示す）とで切り換え可能に構成されている。第１の筐体３内の第１基板６と、第２の筐体５内の第２基板７とが信号線３０で電気的に接続されている（図６及び図９参照）。詳しくは図示しないが、信号線３０は、例えば２０本のそれぞれシールドされた細線を束ねて編組で覆われたバンドル３０ａを２本備えている。なお、説明の都合上、第１の筐体３の長手方向（スライド方向）を上下方向とし、幅方向を左右方向とする。
【００４９】
第１の筐体３は、第２の筐体５に対してスライド機構１０を介してスライド自在に連結されている。図１、図６、図７及び図８に示すように、スライド機構１０は、第２の筐体５の正面側に取り付けられた、例えばステンレス鋼板のプレス成形品等よりなるスライダ１１を備えている。スライダ１１は、矩形薄板状のもので、図６に示すように、左右端部が正面側に折り曲げられて断面Ｌ字状となった係合部１２を備えている。スライダ１１には、第２の筐体５に締結するための例えば４つの締結孔１３（図７参照）が形成されている。スライダ１１は、図１に示す閉じ状態で、第２の筐体５の上側に締結されるようになっている。そして、スライダ１１を背面から見たときに左下端部には、信号線３０が通過する信号線用貫通孔１４が切り欠かれている。
【００５０】
一方、図９に分解して示すように、第１の筐体３は、金属インサート成形品よりなる第１キャビネット３ａを有し、この第１キャビネット３ａは、中央部分にステンレスシート３ｂがインサートされている。この第１キャビネット３ａに表示部２を構成するＬＣＤパネル２ａ、ＬＣＤクッション２ｂ及びＬＣＤユニット２ｃが取り付けられている。上記第１基板６は、ＬＣＤユニット２ｃの裏面に接続されている。第１キャビネット３ａの背面には、マグネシウム合金の成型品等よりなる矩形薄板状の背面プレート２０がネジ２０ａにより締結されている。図５に示すように、この背面プレート２０は、開き状態において露出するので、第１キャビネット３ａ等の彩色に合わせた塗料が塗布されている。背面プレート２０の上下には、第１基板６等を隠すための樹脂製カバー２０ｂ，２０ｃがそれぞれ取り付けられている。背面プレート２０の左右端部は、図６に示すように、外側に断面Ｌ字状に折り曲げられてレール部２１が形成されている。例えば、レール部２１には、滑りをよくするための例えば樹脂製の摺接部材２１ａが嵌合されている。レール部２１は、スライド機構１０の一部を構成し、このレール部２１にスライダ１１の係合部１２が係合し、スライダ１１がレール部２１に沿って上下にスライド可能となっている。
【００５１】
そして、第１の筐体３の背面の左右のレール部２１で囲まれた部分とスライダ１１表面との間には、信号線３０が移動可能な隙間２２が形成されている。隙間２２の第１の筐体３の厚さ方向の高さＨは、例えば２ｍｍ程度とする。この隙間２２には、図１に示すように背面から見て右下側に膨出部２３が形成されている。膨出部２３は、上下方向に延びる溝部２４を有し、溝部２４は、下側の上下に延びる直線部２４ａと上側のスライド方向終端（全開位置）の手前で背面から見て左側へ傾斜する傾斜部２４ｂとを備えている。直線部２４ａの下端には、切欠２４ｃが形成され、この切欠２４ｃから溝部２４に収容された信号線３０の第１基板６側が延び（図９参照）、その先端には、第１基板６に接続するための長細い接続端子３０ｂが接続されている。直線部２４ａの幅は、２本のバンドル３０ａを並べたときの幅と同等又はそれよりも若干大きく、傾斜部２４ｂの上端は徐々に広がり、壁面の角部が丸められている。このような構成により、直線部２４ａに収容された部分の信号線３０は、ほとんど動くことはないが、傾斜部２４ｂの部分では、スライド操作に伴って傾斜部２４ｂ内を若干動くことができるようになっている。このことで、傾斜部２４ｂの上端部分で信号線３０に繰り返し負荷がかかって損傷するのを防止している。
【００５２】
また、膨出部２３の下端側には、図８で示すように、開き状態でスライダ１１の下端部に沿うように、スライド方向と垂直に（左右方向に）延びる侵入防止部２６が形成されている。
【００５３】
傾斜部２４ｂの上端から延びる信号線３０は、隙間２２内で正面視略Ｕ字状を保ちながら移動するように折り曲げられて第２基板７側の先端は、スライダ１１の信号線用貫通孔１４を通って第２の筐体５側へ延び、最終的に第２基板７に接続されている。図７に示すように、信号線用貫通孔１４と膨出部２３とは、第１の筐体３と第２の筐体５とが重なる閉じ状態で最も離れるように配置されている。
【００５４】
そして、この信号線用貫通孔１４には、隙間２２内へ延びる信号線３０をスライド方向に対して傾斜させて信号線３０の軌跡を調整する軌跡調整部材３５が設けられている。図１０及び図１１に示すように、この軌跡調整部材３５は、信号線用貫通孔１４に脱着可能な樹脂成型品よりなり、信号線３０を挟み込むことができるように、規制部材本体３６と、この規制部材本体３６を覆う嵌合カバー３７とを備えている。嵌合カバー３７には、一対の係合爪３７ａが設けられ、この一対の係合爪３７ａで規制部材本体３６を挟み込むようになっている。嵌合カバー３７が規制部材本体３７に嵌合した状態で、隙間２２内の信号線３０が挿入される矩形状の内側開口３８と、信号線３０が垂直に折り曲げられて第２の筐体５側へつながる円形の外側開口３９とが形成されている。図１及び図７に示すように、信号線用貫通孔１４は、軌跡調整部材３５の形状に合わせて隙間２２側（背面から見て右側）が矩形状で、第２基板７側（同左側）が円形となっている。信号線用貫通孔１４の隙間２２側は、信号線３０の通る部分に拡張部１４ａが形成されている。この拡張部１４ａを囲むように、規制部材本体３６には、一対の内側係止部３６ａが形成されている。この内側係止部３６ａに対向する第２基板７側にも同様に外側係止部３６ｂが形成されている。
【００５５】
例えば、図１１に示すように、上記軌跡調整部材３５で挟み込む部分の信号線３０の２本のバンドル３０ａを目印用テープ３１で覆って目印としておく。この目印用テープ３１の部分を規制部材本体３６に配置し、嵌合カバー３７で覆って信号線３０を保持し、その状態で信号線３０のＵ字状部分を隙間２２内に挿入し、信号線用貫通孔１４から信号線３０を通して拡張部１４ａに通し、内側係止部３６ａを拡張部１４ａの両側に配置し、外側係止部３６ｂを信号線用貫通孔１４の周縁に当接させるようになっている。このようにすることで、信号線３０の隙間２２に挿入される部分の長さが最適な状態に保たれて信号線３０がスライダ１１に固定される。
【００５６】
そして、スライダ１１の大部分を薄板加工が容易な板金のプレス成形品で構成し、信号線３０が第２の筐体５側へ垂直に折り曲げられる部分の軌跡調整部材３５を複雑な形状でも形成しやすい樹脂成型品で構成しているので、軽量かつ剛性の高いスライダ１１が得られると共に、信号線３０の傾斜方向を傾斜できる形状を容易に形成できる。また、軌跡調整部材３５が樹脂製なので、スライダ１１に直接接触させるよりも信号線３０が傷付きにくくなっている。
【００５７】
信号線３０は、図８に示す開き状態で最も内側最小曲げ半径Ｒが小さくなるが、その内側最小曲げ半径Ｒは、４ｍｍ以上に保たれている。
【００５８】
そして、隙間２２には、一端４０ａが第１の筐体３（背面プレート２０）に回転可能に連結され、他端４０ｂが第２の筐体５（スライダ１１）に回転可能に連結された正面視Ｌ字状の板バネ４０が設けられている。板バネ４０の端部４０ａ，４０ｂは、それぞれ環状部４０ｃを備え、各環状部４０ｃは、各端部４０ａ、４０ｂが互いに近付く面側に固定（形成）されている。そして、信号線３０は、板バネ４０と膨出部２３とで囲まれる隙間２２内を移動するように構成されている。
【００５９】
膨出部２３は、板バネ４０の一端４０ａ側近傍まで延び、膨出部２３における溝部２４のスライド方向終端（上端）近傍には、第１の筐体３の閉じ位置において信号線３０がスライド方向に対して平行となるように規制する方向規制部２５が上下方向に延長して形成されている。
【００６０】
信号線３０及び板バネ４０は、例えば隙間２２における４つの締結孔１３で囲まれた領域を移動するように構成されている。
【００６１】
そして、図１及び図１２に示すように、膨出部２３における少なくとも溝部２４が形成されている部分は、背面側からＰＥＴ、アクリル樹脂等の樹脂シート５０で覆われている。樹脂シート５０は、無色透明であり、膨出部２３の表面全体及び樹脂製カバー２０ｃの一部を覆う形状を有する。溝部２４の周縁には、この溝部２４を挟むように一対の位置決め用凹部２７が形成されている。両面テープ５１は、黒色などの背面プレート２０と同じ有色であり、外形は、ほぼ樹脂シート５０と同じであるが、溝部２４に対向する部分が切り欠かれている。この部分に連続して位置決め用凹部２７の位置が切り欠かれて位置決め用切欠５２が形成されている。また膨出部２３の上端には、樹脂シート５０及び両面テープ５１の角部に合わせてＬ字状の突条２８が形成されている。
【００６２】
この構成により、樹脂シート５０に両面テープ５１の片面が貼り付けられると、溝部２４及び位置決め用凹部２７に対応する部分が見えるようになっている。この状態で、樹脂シート５０及び両面テープ５１の角部を突条２８に当てながら、位置決め用切欠５２を位置決め用凹部２７に合わせるようにして両面テープ５１の他方の面を膨出部２３及び樹脂製カバー２０ｃの凹陥したテープ用凹部２０ｄに貼り付けるようになっている。このとき、樹脂シート５０は無色透明である一方、両面テープ５１が有色であるため、両面テープ５１のない部分から信号線３０が溝部２４に収容されているのを確認でき、また、両面テープ５１ごと膨出部２３に貼り付ける際に位置決めが容易である。組付時に両面テープ５１で接続端子３０ｂを覆う樹脂製カバー２０ｃも同時に貼り付けることにより、仮止めされてハンドリングが容易となっている。そして、溝部２４に収容された信号線３０は、両面テープ５１に接着しないので、溝部２４内で完全には固定されず、スライド操作に伴って溝部２４内で信号線３０が適宜動くことができるようになっている。また、溝部２４に収容された信号線３０を樹脂シート５０で覆うことで、信号線３０が溝部２４からはみ出て溝部２４周縁とスライダ１１との間に挟み込まれて損傷することが確実に防止されている。
【００６３】
信号線３０は、位置決め用凹部２７に対応する位置が目印用テープ３１で覆われている。このため、位置決め用凹部２７と目印用テープ３１とを位置合わせして信号線３０を溝部２４に収容させることで、隙間内の信号線３０の長さが所定長さに保たれるので、長すぎて他の部品に接触して損傷したり、短すぎて切断したりするのが防止されている。
【００６４】
−スライド操作に伴う信号線の動き−
次に、本実施形態に係るスライド式携帯電話機１のスライド操作に伴う信号線３０の動きについて説明する。
【００６５】
まず、図１、図２、図４及び図７に示す閉じ状態では、軌跡調整部材３５は膨出部２３から上下方向に最も離れた位置にある。信号線３０の第１基板６側は、溝部２４の直線部２４ａで上下方向に規制されると共に、傾斜部２４ｂから出た部分は、左右内側へ寄せられた後、上下に起立する。しかし、信号線３０は、膨出部２３の上端の方向規制部２５によってそれ以上背面から見て右側へ折れ曲がらない。
【００６６】
そして、第２基板７側では、第２の筐体５側を軌跡調整部材３５によって上下方向に対して背面から見て右側へ大きく傾けて信号線３０の軌跡を調整しているので、信号線３０は板バネ４０の内面に接触しない。しかも、板バネ４０は、正面視Ｌ字状のなのでコイル部を有さず、信号線３０との接触を回避しやすく、信号線３０の可動領域が広くなっている。それに加えて板バネ４０の環状部４０ｃが左右の互いに近付く面側（左右内側）に固定されているので、互いに近付く面の反対側に環状部４０ｃを設ける場合に比べて信号線３０から遠くに離れるので、さらに信号線３０との接触の回避が容易となる。このように、閉じ位置において信号線用貫通孔１４が膨出部２３と最も離れたときにＵ字状の開放部分が開きすぎて板バネ４０に接触するのが効果的に防止される。
【００６７】
そして、図７に示すように、信号線３０が移動する隙間２２に切符等の薄い異物１０１が侵入したとしても、膨出部２３を延長して形成した侵入防止部２６によって、この薄い異物１０１がさらに深く侵入することが防止されるので、薄い異物１０１を取り出しやすい。
【００６８】
次いで、第１の筐体３を開いて第２の筐体５の操作部４を用いるときには、第１の筐体３の下端部を指で上方に板バネ４０の付勢力に抗して押し上げる。
【００６９】
すると、スライド量が半分程度のところで、板バネ４０の捩り角が最大となり、その後、手を離しても板バネ４０の付勢力により、第１の筐体３が勢いよく開き、図３、図５及び図８に示す開き状態（全開位置）となる。開き状態でも図８に２点鎖線で示すように、第２の筐体５の上側により、板バネ４０及び信号線３０は見えないようになっている。  第１の筐体３が全開位置にあるときに、溝部２４の全領域は、スライダ１１によって覆われる。このため、第１の筐体３を第２の筐体５に対して開こうとする力がかかって隙間２２が若干広くなったとしても、信号線３０がスライダ１１と溝部２４との間に挟まれているので安定し、信号線３０が噛み込むのが防止される。また、信号線３０の軌跡を適切に規制できるので、スライダ１１の結合領域をできるだけ広くとることができ、第１の筐体３を最も開いたときの剛性が高くなっている。
【００７０】
そして、このようなスライド操作を繰り返しても、軌跡調整部材３５により信号線３０の内側最小曲げ半径Ｒを４ｍｍ以上に保つことができるので、信号線３０が破損しにくくなっている（下記耐久試験参照）。また、傾斜部２４ｂの上端が徐々に広がっているので、傾斜部２４ｂから出た信号線３０が上端付近で急激に折れ曲がることはないため、信号線３０の耐久性が向上している。また、信号線３０を傾斜部２４ｂに収容しているので、傾斜部２４ｂ内で容易に軌跡調整部材３５へ近付く方向へ保持でき、この方向へ傾斜させることで、Ｕ字状に折れ曲がる信号線３０の開放側が広がりすぎないように規制される。このように軌跡調整部材３５及び溝部２４の構成により、スライド操作に伴う信号線３０の軌跡が狭い範囲に規制されるので、信号線３０が他の部品に接触して損傷することはない。
【００７１】
−信号線の耐久試験−
図１３に示すように、スライド試験機のポリカーボネートの疑似筐体１００で隙間１２２を形成し、その隙間１２２の溝幅Ｗ及び高さＨを変更して信号線３０の耐久試験を行った。疑似筐体１００の上側に信号線３０の一端を下側に他端を接続し、ストロークを４０ｍｍとして、１往復２秒で２０万回往復した。信号線３０は、負荷をかけない状態のバンドル３０ａの直径が１．５ｍｍのものを２本１組としている。それぞれＮ数は３とした。
【００７２】
図１３に示すように、溝幅Ｗ＝１２ｍｍでは、いずれの高さＨにおいても信号線３０が断線した。溝幅Ｗ＝１４ｍｍでは、高さＨ＝１．２ｍｍでは断線したものの、高さＨ＝１．４ｍｍ以上では、断線がなかった。溝幅Ｗ＝１６ｍｍとすると、いずれの高さＨでも断線はなかった。この結果より、高さＨ＝１．４ｍｍ以上とすれば、溝幅Ｗ＝１４ｍｍでも断線しないことがわかった。溝幅Ｗ＝１４ｍｍは、信号線３０の内側最小曲げ半径Ｒがほぼ４ｍｍの場合に相当する。したがって、図８の開き状態で軌跡調整部材３５を出てすぐの隙間２２での内側最小曲げ半径Ｒが４ｍｍ以上となるように設定すればよいことがわかった。
【００７３】
よって、本実施形態に係るスライド式携帯電話機１によると、信号線３０の一端側を膨出部２３の溝部２４でスライド方向に沿って配置すると共に、他端側を軌跡調整部材３５によってスライド方向に対して傾斜する方向へ傾けることで、スライド操作に伴う信号線３０の動きを規制して信号線３０の損傷を防ぎながら部品配置を容易にすることができる。
【００７４】
（その他の実施形態）
本発明は、上記実施形態について、以下のような構成としてもよい。
【００７５】
すなわち、上記実施形態では、携帯端末は、携帯電話機としたが、第１の筐体が第２の筐体に対してスライド機構を介してスライド自在に連結されるＰＨＳ（Personal Handy-phone System ）、ＰＤＡ(Personal Digital Assistant)、スマートフォン、パソコン、モバイルツール、電子辞書、電卓、ゲーム機等であってもよい。
【００７６】
なお、以上の実施形態は、本質的に好ましい例示であって、本発明、その適用物や用途の範囲を制限することを意図するものではない。
【符号の説明】
【００７７】
１      スライド式携帯電話機（スライド式携帯端末）
３      第１の筐体
５      第２の筐体
６      第１基板
７      第２基板
１０      スライド機構
１１      スライダ
１３      締結孔
１４      信号線用貫通孔
２０      背面プレート
２１      レール部
２０ｃ    樹脂製カバー
２２      隙間
２３      膨出部
２４      溝部
２５      方向規制部
２６      侵入防止部
２７      位置決め用凹部
３０      信号線
３１      目印用テープ
３５      軌跡調整部材
３５ａ    水平部
３５ｂ    垂直部
３５ｃ    内側係止部
３５ｄ    外側係止部
４０      端部
４０      板バネ
４０ａ    一端
４０ａ，４０ｂ  端部
４０ｂ    他端
４０ｃ    環状部
５０      樹脂シート
５１      両面テープ
５２      位置決め用切欠
１００      疑似筐体
１０１      異物
１２２      隙間
【図１】
2012235274.tif 000003
【図２】
2012235274.tif 000004
【図３】
2012235274.tif 000005
【図４】
2012235274.tif 000006
【図５】
2012235274.tif 000007
【図６】
2012235274.tif 000008
【図７】
2012235274.tif 000009
【図８】
2012235274.tif 000010
【図９】
2012235274.tif 000011
【図１０】
2012235274.tif 000012
【図１１】
2012235274.tif 000013
【図１２】
2012235274.tif 000014
【図１３】
2012235274.tif 000015
【図１４】
2012235274.tif 000016